(57)【要約】      （修正有）【課題】絵の表現が色や画面を簡単に安く変える事が出来る。暗い場所でも非常に綺麗で美しい別世界の様な画面が描ける。絵の色や画面の変化が動物本能的な変動に追従して関心を自然に持つ。電気の消費量が少なくなり電気代が減らせる。大型画面の看板に対し絵の大きい面積の色や画面が簡単に安く変えられる。電装看板を提示する。【解決手段】反射材と変色発光材により描かれた看板に、可視光や特定波長光等の複数光源を、照射したり、照射する方向及び切換え方法（複数光源を一種類づつ交互に、又は同時に一定時間間隔で切換え照射する。）を選んだり、反射材と変色発光材により描かれた看板を移動したりする構成とする。【選択図】  図８
2004318035.tif 000002
【特許請求の範囲】
【請求項１】
表面から反射材（従来の可視光用塗料）により描かれた不透明なボード板の上に特定波長光による変色発光材（特定した波長の光を照射すると変色発光する材料）を加工（塗ったり貼ったり）してなる外照型表示板に表面方向から変色発光の為の特定波長光と可視光を一種類づつ交互に又は同時に一定時間間隔で切換照射することにより変化する複数色又は複数画面が表現できる外照用表現方法
【請求項２】
透明板に固着した従来の反射材により描いた表現パネルに特定波長光による変色発光材をその上から固着した片面表示板に変色発光のための特定波長光と可視光を裏面方向から一種類づつ交互に又は同時に一定時間間隔で切換照射することにより変化する複数色又は複数画面が表現できる内照用表現方法
【請求項３】
透明板に固着した従来の反射材により或絵を描いた表現パネルに、特定波長光による変色発光材をその上から加工した表面表現パネルの裏面に裏面からの波長光の影響を少なくする透過調整材を固着させて置き、同様に他の透明板に固着した従来の反射材で上記とは異なる絵を描いた表現パネルに、特定波長光による変色発光材をその上から加工した裏面表現パネルの裏面に表面からの波長光の影響を少なくする透過調整材を固着させて置く、上記２加工板の裏面の間に透明固定板を挟み固着した両面表現板に、新たに変色発光する特定波長光と可視光を表面と裏面から一種類づつ交互に又は同時に一定時間間隔で切換照射することにより請求項１と２より更に多い複数色又は複数画面が表現できる両面表現方法
【請求項４】
前記請求項１、請求項２及び請求項３の方法に於いて表示板になるフイルムを巻取る機構、同時に表示板の一部分に独立の遮断箱を設けて区切り別表現する行う機構、同時に音を発生し目立たせる機構又は音を聞いて情報をとる構成、目立つための光を他に発生し又は画像をキャッチして情報を取る構成、及び表現に対するマイコン制御をする構成を有する事を特徴とするマルチメデイア看板の方法
【請求項５】
円柱型を有する可視光における光源部品とそれを取巻き型になる特定波長光源部品を組合わせた複数種類の光源群又は円形型を特定波長光源部品とそれを取巻き型になる可視光の光源部品を組合わせた複数種類の光源群のいずれかを有する請求項１〜４までに使用する小型光源群
【発明の詳細な説明】
【０００１】
【発明の属する技術分野】
発明分野は従来のボードに於いては反射塗料等で描いた画面が変わらない書き看板があり、又箱を使って画面が変わらない内照用箱看板とに対するものである。
発明技術は大きく別けて表示板の色と画面を変える技術、必要光源のみの光作用技術及びその構成技術の３種類の分野である。
したがって固定された変化のない美術的画像が新たに色や画面を変化し、目立たせるのに必要な箇所のみ変化又は追加画像にする事ができて同時にいま問題になっている電力の省力化も出来る技術分野である。
【０００２】
【従来の技術】
従来の看板は板（ボード）看板、箱（ボックス）看板、ＬＥＤ看板と液晶看板がある。ボード看板は駅や街のお店及び昔では映画館やお風呂屋で書いた看板がある。
ボード看板は書いた後に変化はなくて毎日そこを通るのに覚えていないと言う事が多い。
そして従来の技術としては絵を書く技術のみである。
ボックス看板は箱、内照用表示板と蛍光灯で構成される。内照用表示板はフイルムに塗料を吹付けたりして描き、その後画像が変化しない。箱の中には蛍光灯で光を照射して表現している。この方法もボード看板と同じく変化がなく目立たないのですぐに忘れられてしまう。
ＬＥＤ看板はＬＥＤ点の集合表示で前記ボードやボックス看板の様な描いた表現方法とは異なる。その為に表現は絵を描く様な芸術的表現が出来ない。又看板の原価コストが高くなり、表現の為のプログラムも必要でその分の費用もかかる。大きな看板には非常にコストがかかり現実的価格でない。液晶看板は液晶ＴＶの画面の大きさとその値段を標準にして考えられる。しかし画面を大きくする時には他に設備が必要であり、一般の看板としては高品質過ぎ、マルチ表現の多用途に適用過ぎて高価過ぎる等で現在の一般看板としては実現していない。
【０００３】
【発明が解決しようとする課題】
従来の技術で問題になった事項の内から逆に見て発明が解決しようとする課題を以下に述べる。
１：書いたり塗料の吹付けをしたりして美術的芸術的表現を可能とする。
２：外照用、内照用及び両用照射の大きい看板を可能とし、珍しさで目立たせる。
３：看板の表示は新たな１２色の変化、画像の変化、光源の切換、光源の方向と透過調整材等で多くの種類に変化させて、見る者に関心を持たせて覚えさせる。
４：光の透過調整をする為、安定した美術的画像になり心に安らかさが生まれ色と発光で長く見ても飽きない様にする。
５：特定の箇所に他と独立して他光を遮断する遮断箱、巻取機構、変色発光のための光源箇所のマイコン等での切換と複数光の内の一種類づつ交互に又は同時に一定間隔で切換照射して目立たせる機構を使用する。
６：価格は非常に安い
７：電力消費代が安くなり従来より倹約できる。
【０００４】
【課題を解決するための手段】
課題を解決するための手段は前記の発明が解決しようとすることからに対して以下に述べる。
１：表現パネルは従来の塗料で書いたり吹付けたりして美術的な従来の表現パネルを作成する。これは可視光で見る事ができる。
次に表現パネルに特定した波長の光を照射すると変色発光する材質を塗ったり貼ったりして固着する。この表現パネルは可視光と特定した波長の光を区別して照射する事によって変化前後の２種類の色や画面が発生する方法をもちいる。
２：外照用表現パネルは反射塗料と変色発光する材質を表現パネルの表面に書いたり吹付けり貼ったりして作成する。
そして可視光と特定した波長光を表面方向から一種類づつ交互に又は同時に切換照射する。
内照用表現パネルは透明パネルの裏面に同様に従来の反射塗料を書いたり吹付けたり貼ったりして画像を作成し、その上より特定した波長光を照射すると変色発光する材質を塗ったり貼ったりして固着する。そして可視光と特定した波長光を裏面方向から一種類づつ交互に又は同時に切替照射する。
両面用表現パネルは透明なパネルの両面に異方向からの光を調整する透過調整材を塗るか張付けて後に、その両面に前記内照用処置を施して作る。そして可視光と特定した波長光を表裏面から一種類づつ交互に又は同時に一定時間間隔に切換照射する。
３：表示板の画面を変える技術は不透明な表現パネルの反射材と変色発光材を合わせた材料に可視光と特定の波長光に於ける２種類の光を照射する方法である。
まず１２色の反射材上に透明な変色発光材を置いたとする。
この時可視光のみを照射するとそのままの１２色の反射材が表現できる。そして特定の波長光のみを照射すると１２色の反射材の色が消えて変色発光材は他の変色発光材の１２色になる。
但し反射材が黒で変色発光材がない所は黒になし、反射材が白で変色発光材が白であれば白になる。
次に反射光が１２色で特定の波長光が他の色になる変色発光材もある。勿論反射光が白で特定の波長光が１２色になる変色発光材もある。この方法は光を変える事により白地に突然絵が浮かび上がる様に見える。
４：表示板の画面を変える技術には透明な表現パネルの両面に透明な変色発光材を用いる事もできる。そして表裏面の両面に可視光と特定の波長光の光源を置き表面と裏面から独立させて光を一種類づつ交互に又は同時に一定時間間隔で切替照射する。
この時特定の波長光を両方向の面より照射すると変色発光材の異なった色は交じり合う。この時光の方向によって独立させたい時には光の透過調整板を用いると可能になる。
【０００５】
【発明の実施の形態】
次に、本発明の実施の形態について述べる。
図１は従来のボード看板で、ボード板（２）に可視光を照射スル反射材（３）によって描かれた外照用表示板（１）である。（ａ）はボード板（２）の正面図へ反射材のペンキ等で広告用に描かれた一例である。（ｂ）は描かれたボード板（２）の側面図である。これは一度描いた物は色も形も不動で変化がない。
図２は従来の箱看板で、絵を描いた表現パネル（６）を透明板（５）に張付けた内照用表示板（４）である。（ａ）は内照用表示板（４）の正面図である。（ｂ）は内照用表示板の側面図である。これは一度絵を描いた物は色も形も不動で変化がないので毎日見ていると頭から忘れてしまう事がある。
図３は従来の箱用看板における構成図である。構成図は前記の図２の内照用表示板（４）に内側から蛍光灯で可視光を照射する構成図である。
（ａ）は箱用看板における正面のＡＢ断面図（７）である。（ｂ）は側面のＣＤ断面図である。本発明は電力を切るが従来の図１〜３は電力を切れば見えなくなり看板にはならないし、電力の節約にはならない。
【０００６】
図４は本発明の外照型用に於ける変色発光材（１２）の付いた表示板の一例である。本発明はまず前記図１で述べた従来の外照型表示板（１）の可視光を照射した絵を描いているボード板と同じ方法を使用する。
その上に特定な波長光を照射すると変色発光材（変色発光する材料１２）を塗ったり貼ったりし加工して外照用看板をつくる。（ａ）は外照用看板の正面図、（ｂ）は外照用看板の側面図である。
そして表示板に照射する光源は可視光の蛍光灯（９）と変色発光するための特定波長光の複数種類がある。表示板に表面方向から複数種類の光源を一種類づつ交互に又は同時に一定間隔で切替え照射する。
この切換える事により色が変色発光して可視光なしでも発光する為に見る事が出来る様になる。そしてこれが変化をもたらし目立つ様になる。
電気的にも切るので節約が出来る。しかし電気的の節約をもっと重視する時は変色発光材の残光時間を比較的長いＺｎＳ：ＣｕやＣａＳｒＳ：Ｂｉ系統を用いて縁取や文字等の重要な箇所を加工すると全光源の電気を長時間切っても見えるので電気の省力化が出来る。
図４の例で可視光の絵がビルだけの画面に対し特定波長光によってビルのバックの色付や文字等や重要な箇所に書込む事が出来る。
又変色発光材の励起時間だけ特定波長光の電力を入た後に切換の為に電力を切る。この事は電気代を節約する事ができる。
（ａ）はボード板の正面図で、（ｂ）はボード板の側面図である。変色発光材が例えばＳｒＡｌ２０４，Ｓｒ４Ａｌ１４０２５，ＣａＡｌ１４０２５，ＣａＡｌ２０４等のアルカリ土類アルミン酸塩を母体結晶として使用すと、これらは残光時間が短く輝度が高いので変色発光に適している。切換時間は電力の節約と輝度の高い事は複数色と複数画面の表現が可能になる。例えば状況条件が異なっいるが表現のために引用すると本発明では図１（ａ）と同じ画面は特定波長光を照射した時に可能で、図２（ａ）と同じ画面は可視光を照射した時に可能になる。可視光でのバック地の白が特定波長光ではダイダイ色になり壁に表示したい事が突然に現れる。
図５は本発明の内照用看板で光が通る片面表示板（１３）をもちいた一例である。表現パネル（１５）は裏面に反射材（３）を吹付け等で固着させた上に特定な波長光を照射すると変色発光する材料を固着する。
この表現パネルを固定させる為の透明板（１４）に固定されて片面表示板（１３）が出来る。（ａ）は蛍光灯の反射光を裏面から照射した場合、表現された片面表示板の正面図である。髪は茶、目は白及び顔は赤である。（ｂ）は片面表示板の側面図である。
本発明の他の方法は表現パネル（１５）の材質をなくして、直接透明板（１４）の裏面から反射材（３）を吹付け等で固着し、その上に特定な波長光を照射すると変色発光する材質（変色発光材１２）を固着させる事も含む。この変色発光材は例えばＳｒＡｌ２０２，Ｓｒ４Ａｌ１４０２５，ＣａＡｌ１４０２５，Ｃａ−−Ａｌ２０４等のアルカリ土類アルミン酸塩を母体結晶としている。そしてこれらは残光時間が短いので切替え時間を短くする事もできるので目立った看板になる。
図６は本発明の内照用箱看板の外観図である。内照用箱看板は前記の図５の片面表示板を取付けているが特定波長光を裏面から照射した場合表現された光が透けた片面表示板（１３）を取付けている。髪は青、目は白及び顔は緑である。可視光で照射した図５での赤鬼が図６での特定波長光で照射した青鬼になる。即ち赤鬼から青鬼になる。（ａ）は内照用箱看板の鬼を描いた正面図（１６）である。そして（ｂ）は内照型箱看板の側面図（１７）である。
図７は本発明の内照用箱看板の構造図である。
（ａ）は内照型箱看板に於いてＥＦ線から見た正面図（ＥＦ断面図１８）である。（ｂ）は内照用箱看板のＧＨ線から見た側面図（ＧＨ断面図１９）である。ここで２種類の光源は可視光の蛍光灯（０９）と変色発光する為の特定波長灯（１１）を取付け、図５の片面表示板（１３）に内側方向からその光を一種類づつ交互に又は同時に一定間隔で切替照射する。
図６の絵は特定波長光を照射している時、髪の色は青で顔の色は緑である鬼である。これを可視光にした時、髪の色は茶で顔の色は赤である鬼になる。即ち可視光を特定波長光（見えない光）に変えて照射する事で青鬼が赤鬼になって表現される例である。非常に変化して目立つ看板として成立っている。この駆動回路は後に述べる。（請求項２）
図８は本発明に於ける両面表現板（２０）である。
（ａ）は表面からの可視光で照射した時に表現される表面の両面表現板（２０）の正面図である。（ｂ）は両面表現板（２０）に於ける構成を示す側面図である。表面表現パネル（２２）は表面に反射材（３）で絵を描き、その上から変色発光材（１２）を固着する。表現透過材（２４）は裏面から特定波長光の影響を少なくする為の透過調整材である。透明固定板（２５）はフイルムを固形させる為と裏が見えない様にする摩りガラス等の固定板である。裏面透過材（２３）は表面から特定波長光の影響を少なくする為の透過調整材である。裏面表現パネルは裏面に反射材（３）で絵を描き、その上に変色発光材（１２）を固着する。
両面表現板（２０）は（ｂ）の様に左から表面表現パネル（２２），表面透過材（２４），透明固定板（２５），裏面透過材（２３）及び裏面表現パネル（２１）に並べて固着する。
図９は本発明に於ける図８の両面表現板（２０）を使った両面看板の外観図である。（ａ）は表面から特定波長光の照射をした時表現された両面表現板を使った両面看板正面図（２６）である。（ｂ）は両面看板側面図（２７）である。絵は可視光を照射した時文字等だけとして、そして特定波長光を照射した時に図８の両面表現板（２０）に表現したとする。次に箱の中より可視光を照射した時図９の正面図（２６）の絵とする。そして箱の中より特定波長光を照射した時には他の図８の２０の絵が現れる。この構造は以上の方法によって多くの複数色と多くの複数画面が変化して目立つ看板になる。多くの複数色と多くの複数画面の変化は表面可視光，表面特定波長光，裏面可視光及び裏面特定波長光の４種類により、一種類づつ交互に又は同時に一定時間間隔に組合わせて切換照射して可能になる。（請求項３）
図１０は本発明の両面看板の構成図である。（ａ）は両面看板の構成図に於けるＩＪ断面図（２８）である。（ｂ）はそのＫＬ断面図（２９）である。両面看板の外照用光源は（ａ）に示す様にＩＪ線の左に示す蛍光灯の可視光と特定波長灯の特定波長光を組みにする。照射方法はこの光源の組合わせ駆動である。又内照用光源は（ｂ）に示す様にＩＪ線の右にある蛍光灯の可視光と特定波長灯の特定波長光の組合わせ駆動のＫＬ断面図である。
図１１は本発明のフイルム状にした巻取り方法による機構である。
（ａ）は巻取機構正面図（３０）である。（ｂ）は巻取機構ＭＮ断面図（３１）である。反射材（３）と変色発光材（１２）で絵を描いたフイルムは裏面から可視光と特定波長光を照射する。照射は一種類づつ交互に又は同時に一定時間間隔で切換える。又フイルム巻取り機構（３４）で画面を移動する。表示板の一部分に独立した遮断箱（３３）を設けて他からの光を遮断して行う方法で、この遮断箱の中は孤立して内照用看板と同様にする。（ｂ）の遮断箱（３３）の一例は内部に蛍光灯と特定波長灯（３２）がある。但しこれは他の看板方式にも適用される。そして他の機構は同時に音を発生して目立たせる機構、音を聞いて情報をとる構成、可視光の光を発生する構成、ＣＣＤ等で画像をキャッチして情報を取る構成及び表現に対するマイコン制御をする構成等を持って看板を行う。この事でマルチメディア看板の広告の意味目的を表す事が可能になってくる。（請求項４）
図１２は本発明の請求項１〜４までの駆動回路の一例である。外照用看板、内照用看板、外照用と内照用の両面型看板、巻取機構を持つ看板及び一部分の孤立表示付き看板を駆動する回路である。
図１３はマイコン設定によるブロック線図の一例である。
電源回路にＡＣ１００Ｖを供給し発信回路を駆動する。発信回路はタイミングやリセット等で使用するクロックパルス等発生してカウンタにいれる。そしてカウンタはタイマーによる切替時間の変更や入力データにより出力回路に信号を出す。出力回路は出力の状態を表示回路で表示する。又動作モードを切換スイッチは出力回路の出力モードを設定する。
図１４は本発明における看板の一部分に使用する孤立表示用ミニ光源の一例である。機構は複数の円柱型光源とそれを取巻く型の光源がある。
そして円柱型光源部品は可視光が電球や半導体ＬＥＤとし、又取り巻く型の光源は特定波長光が半導体のツェナーダイオード型とガラス管型がある。それを円柱型光源部品が特定波長光で取巻く型光源部品が可視光の事も含まれる。
（ａ）はミニ光源の上面図（３５）である。（ｂ）はミニ光源のＧＨ断面図（３８）である。円柱型光源は可視光光源部品（３７）ではＬＥＤとしそれを取巻く型の光源は特定波長光では円形蛍光灯タイプの特定波長光源部品（３６）とする。（請求項５）
【０００７】
【発明の効果】
以上から従来の看板と比較して本発明の効果を述べる。
外照用ボード看板は絵の表現における色を変えたり、画面を変える事ができる。暗い場所で発光する為に非常に綺麗な美しい別世界の様な画面が描ける。夜の時には発光するので遠方でも目立つ。絵の色や画面変化は動物本能的な動きにより関心を持たせられる。切換時は電気を切るので電力の節約になり又電気代が安くなる。大型画面に於ける絵の大きい面積での色と画面を同時に変えられてその費用は安くてすむ。切換え変化を持たせる為に広告に意味を持たせられる。
内照型箱看板は内側より蛍光灯等の可視光が照射する為明るさにより目立つ様になる。特定波長光が照射するとボード看板とはことなって発光した非常に綺麗な美しい別世界の様な画面が描ける。夜の時は明るさと発光で目立つ様になる。絵の色や画面変化は人間の持っている動物本能的な関心により目がいってしまう。切換時は電気を切るので電気の節約になり又電気代が安すくなる。従来の看板の箱内の蛍光灯の間に特定波長灯を取付けられるので今までの設備を利用する事が出来る。その為に改造費用も安くなる。変化する事が出来る量も大きく出来るので変化前と後での変化が独立した絵になる様な感覚になる事が出来る。切換え変化を持たせる為に広告に意味を持たせられる。
両面型箱看板は独立した表裏の両面での２種類の内照型箱看板があると考えて良い。そこで両面型箱看板に於ける裏表の各内照型箱看板の特性は上記と同じである。その為光源の合計４種類とその２方向を選ぶ事とその一種類づつ交互に又は同時に一定時間間隔で切換え照射する事で一方から見て、種々な色や画面の変化が今までにない表現が可能になった。フイルム巻取り機構により画像が動き目立って災害時の情報を正確に伝えられる。その他の音，光およびマイコン等の使用により情報を出してその結果が求められる。看板の必要な部分だけ強調する事ができる。
看板の必要な部分だけ強調する為の部品や機構がなかったが請求項５の部品を使用する事で広告の意味目的をより良く達成する事が可能になる。
いずれも素直に心の中に止められる様な広告看板になる。
【図面の簡単な説明】
【図１】は従来のボード看板のボード板（外照型表示板）
（ａ）は正面図、（ｂ）は側面図、
【図２】は従来の箱看板の表示板（内照型表示板）
（ａ）は正面図、（ｂ）は側面図、
【図３】は従来の箱型看板の構成図
（ａ）は正面のＡＢ断面図、（ｂ）は側面のＣＤ断面図、
【図４】は本発明の外照型表示板
（ａ）は正面図、（ｂ）は側面図、
【図５】は本発明の内照型看板の片面表示板
（ａ）は正面図、（ｂ）は側面図、
【図６】は本発明の内照型箱看板の外観図
（ａ）は正面図、（ｂ）は側面図、
【図７】は本発明の内照型箱看板の構造図
（ａ）は正面図、（ｂ）は側面図、
【図８】は本発明の両面表示板
（ａ）は正面図、（ｂ）は側面図、
【図９】は本発明の両面看板の外観図
（ａ）は正面図、（ｂ）は側面図、
【図１０】は本発明の両面看板の構成図
（ａ）は正面図、（ｂ）は側面図、
【図１１】は本発明のフイルム状の巻取機構
（ａ）は巻取構成正面図、（ｂ）は巻取機構ＭＮ断面図、
【図１２】は駆動回路図
【図１３】はマイコン設定のブロック線図
【図１４】は孤立表示用ミニ光源
（ａ）は上面図、（ｂ）はＧＨ断面図、
【符号の説明】
１は外照型表示板、２はボード板、３は反射板、４は内照型表示板、
５は透明板、      ６は表現パネル、      ７は正面のＡＢ断面図、
８は側面のＣＤ断面図、    ９は蛍光灯、    １０は反射板、
１１は特定波長灯、        １２は変色発光材、  １３は片面表示板、
１４は透明板、  １５は表現パネル、  １６は内照型箱看板の正面図、
１７は内照型箱看板の側面図、１８はＥＦ断面図、１９はＧＨ断面図、
２０は両面表現板、  ２１は裏面表現パネル、２２は表面表現パネル、
２３は表面透過材、  ２４は表面透過材，    ２５は透明固定板、
２６は両面看板の正面図、２７は両面看板側面図、２８はＩＪ断面図、
２９はＫＬ断面図、  ３０は巻取り機構正面図、  ３１はＭＮ断面図、
３２は蛍光灯と特定波長灯、３３は遮断箱、３４はフイルム巻取機構、
３５はミニ光源の上面図、  ３６は特定波長光源部品、
３７は可視光光源部品、    ３８はＧＨ断面図、
【図１】
2004318035.tif 000003
【図２】
2004318035.tif 000004
【図３】
2004318035.tif 000005
【図４】
2004318035.tif 000006
【図５】
2004318035.tif 000007
【図６】
2004318035.tif 000008
【図７】
2004318035.tif 000009
【図８】
2004318035.tif 000010
【図９】
2004318035.tif 000011
【図１０】
2004318035.tif 000012
【図１１】
2004318035.tif 000013
【図１２】
2004318035.tif 000014
【図１３】
2004318035.tif 000015
【図１４】
2004318035.tif 000016